【手続補正書】
【提出日】平成21年11月2日(2009.11.2)
【手続補正１】
【補正対象書類名】特許請求の範囲
【補正対象項目名】全文
【補正方法】変更
【補正の内容】
【特許請求の範囲】
【請求項１】
画像の表示と外部からの入力の検出を行う入出力部を有し、前記入出力部の表示画面上の複数の点に対する入力が可能な表示装置において、
外部から入力があった入力部分の時間的若しくは空間的位置関係に基づいて、一連の入力を表すターゲットの情報を生成するターゲット生成手段と、
前記ターゲットの情報に基づいて、前記ターゲットの状態の変化を表すイベントを認識し、前記イベントの情報を生成するイベント生成手段と
を備える表示装置。
【請求項２】
前記ターゲット若しくは前記イベントの情報に基づいて、前記入出力部の表示状態を変更させる表示制御手段をさらに備える
請求項１に記載の表示装置。
【請求項３】
前記ターゲットの情報は、少なくとも、前記ターゲットに固有の識別情報、及び前記ターゲットに統合される入力部分を代表する位置の座標の情報を含むターゲットの属性である
請求項１に記載の表示装置。
【請求項４】
前記ターゲットの情報は、前記ターゲットに統合される入力部分の範囲を表す領域情報、前記ターゲットに統合される入力部分の領域の面積の情報である面積情報、前記ターゲットとしての一連の入力が開始したときの時刻を表す情報、または前記ターゲットとしての一連の入力が終了したときの時刻を表す情報を含むターゲットの属性である
請求項３に記載の表示装置。
【請求項５】
前記ターゲットに統合される入力部分を代表する位置の座標は、その入力部分の重心若しくは中心の座標である
請求項３に記載の表示装置。
【請求項６】
前記ターゲットの情報を記憶するターゲット記憶手段をさらに備え、
前記ターゲット記憶手段は、所定の条件に基づいて、記憶している前記ターゲットの情報を削除する
請求項１に記載の表示装置。
【請求項７】
前記イベントの情報は、少なくとも、前記イベントに固有の識別情報、前記イベントの種類を表す情報、前記イベントが状態を表すターゲットを特定する特定情報、及び前記イベントが発行されたときの時刻を表す情報を含むイベントの属性である
請求項１に記載の表示装置。
【請求項８】
前記イベントの情報は、前記イベントの付加的な情報である付加情報を含むイベントの属性である
請求項７に記載の表示装置。
【請求項９】
前記イベントの情報は、前記付加情報の数と前記イベントが状態を表すターゲットの数を含むイベントの属性である
請求項８に記載の表示装置。
【請求項１０】
前記イベントの情報を記憶するイベント記憶手段をさらに備え、
前記イベント記憶手段は、所定の条件に基づいて、記憶している前記イベントの情報を削除する
請求項１に記載の表示装置。
【請求項１１】
前記ターゲット生成手段または前記イベント生成手段は、前記ターゲットまたは前記イベントの情報を出力するときの時刻を表す情報を合わせて出力する
請求項１に記載の表示装置
【請求項１２】
画像の表示と外部からの入力の検出を行う入出力部を有し、前記入出力部の表示画面上の複数の点に対する入力が可能な表示装置の制御方法において、
外部から入力があった入力部分の時間的若しくは空間的位置関係に基づいて、一連の入力を表すターゲットの情報を生成し、
前記ターゲットの情報に基づいて、前記ターゲットの状態の変化を表すイベントを認識し、前記イベントの情報を生成する
ステップを含む制御方法。
【請求項１３】
画像の表示と外部からの入力の検出を行う入出力部を有し、前記入出力部の表示画面上の複数の点に対する入力が可能な表示装置の制御処理をコンピュータに実行させるプログラムにおいて、
外部から入力があった入力部分の時間的若しくは空間的位置関係に基づいて、一連の入力を表すターゲットの情報を生成し、
前記ターゲットの情報に基づいて、前記ターゲットの状態の変化を表すイベントを認識し、前記イベントの情報を生成する
ステップを含むプログラム。
【手続補正２】
【補正対象書類名】明細書
【補正対象項目名】００１１
【補正方法】変更
【補正の内容】
【００１１】
本発明の一側面の表示装置は、画像の表示と外部からの入力の検出を行う入出力部を有し、前記入出力部の表示画面上の複数の点に対する入力が可能な表示装置において、外部から入力があった入力部分の時間的若しくは空間的位置関係に基づいて、一連の入力を表すターゲットの情報を生成するターゲット生成手段と、前記ターゲットの情報に基づいて、前記ターゲットの状態の変化を表すイベントを認識し、前記イベントの情報を生成するイベント生成手段とを備える。
【手続補正３】
【補正対象書類名】明細書
【補正対象項目名】００１５
【補正方法】変更
【補正の内容】
【００１５】
本発明の一側面の表示装置の制御方法またはプログラムは、画像の表示と外部からの入力の検出を行う入出力部を有し、前記入出力部の表示画面上の複数の点に対する入力が可能な表示装置の制御方法または制御処理をコンピュータに実行させるプログラムにおいて、外部から入力があった入力部分の時間的若しくは空間的位置関係に基づいて、一連の入力を表すターゲットの情報を生成し、前記ターゲットの情報に基づいて、前記ターゲットの状態の変化を表すイベントを認識し、前記イベントの情報を生成するステップを含む。
【手続補正４】
【補正対象書類名】明細書
【補正対象項目名】００１９
【補正方法】変更
【補正の内容】
【００１９】
本発明の一側面の表示装置は、
画像の表示と外部からの入力の検出を行う入出力部（例えば、図１の入出力ディスプレイ２２）を有し、前記入出力部の表示画面上の複数の点に対する入力が可能な表示装置（例えば、図１の表示システム１）において、
外部から入力があった入力部分の時間的若しくは空間的位置関係に基づいて、一連の入力を表すターゲットの情報を生成するターゲット生成手段（例えば、図１のターゲット生成部３１）と、
前記ターゲットの情報に基づいて、前記ターゲットの状態の変化を表すイベントを認識し、前記イベントの情報を生成するイベント生成手段（図１のイベント生成部３２）と
を備える。
【手続補正５】
【補正対象書類名】明細書
【補正対象項目名】００２３
【補正方法】変更
【補正の内容】
【００２３】
本発明の一側面の制御方法またはプログラムは、
画像の表示と外部からの入力の検出を行う入出力部を有し、前記入出力部の表示画面上の複数の点に対する入力が可能な表示装置の制御方法または制御処理をコンピュータに実行させるプログラムにおいて、
外部から入力があった入力部分の時間的若しくは空間的位置関係に基づいて、一連の入力を表すターゲットの情報を生成し（例えば、図２のステップＳ４）、
前記ターゲットの情報に基づいて、前記ターゲットの状態の変化を表すイベントを認識し、前記イベントの情報を生成する（例えば、図２のステップＳ４及びＳ５）
ステップを含む。
【手続補正６】
【補正対象書類名】明細書
【補正対象項目名】０３２０
【補正方法】変更
【補正の内容】
【０３２０】
すなわち、図２６において、アンテナ１１０、信号処理部１１１、記憶部１１３、操作部１１４、通信部１１５、表示信号処理部１２１、入出力ディスプレイ１２２、光センサ１２２Ａ、受光信号処理部１２３、画像処理部１２４、及び生成部１２５は、図１におけるアンテナ１０、信号処理部１１、記憶部１３、操作部１４、通信部１５、表示信号処理部２１、入出力ディスプレイ２２、光センサ２２Ａ、受光信号処理部２３、画像処理部２４、及び生成部２５と同様に構成されるので、表示システム１０１は、図１における表示システム１と同様に表示受光制御処理を行うことができる。ただし、図１の生成部２５の記憶部３３として、図２６では、記憶部１１３が使用されている。